(57)【要約】【課題】不要時にはコンパクトな形状に折り畳むことを可能とし、壁に掛けて使用しても、壁面を水滴で汚さず収納できる折り畳み式傘ホルダを提供する。【解決手段】正面部４、背面部２及び左右両側面部３，５と、傘挿入口を有する天井部６及び底部７とで構成された箱状体の傘ホルダであって、前記正面部４、背面部２及び左右両側面部３，５を隣接する側辺同士が互いに回動自在に連結すると共に、前記天井部６及び前記底部７を背面部２に側辺が互いに回動自在に連結し、且つ前記正面部４に連結具１１により着脱自在に固定し、左右両側面部３，５を夫々略中心部で箱の内側若しくは外側に中折れして折り畳まれるよう構成した。【選択図】  図１
0003180178.tif 000002
【実用新案登録請求の範囲】
【請求項１】
正面部、背面部及び左右両側面部と、傘挿入口を有する天井部及び底部で構成される箱状体の傘ホルダであって、前記正面部、背面部及び左右両側面部は隣接する側辺同士が互いに回動自在に連結されると共に、前記天井部及び前記底部は背面部に側辺が互いに回動自在に連結され、且つ前記正面部に連結具により着脱自在に固定され、左右両側面部が夫々略中心部で箱の内側若しくは外側に中折れして折り畳まれるよう構成されていることを特徴とする折り畳み式傘ホルダ。
【請求項２】
前記天井部が、前記背面部の頂辺部近辺から前記正面部に向かって傾斜した状態で固定されることを特徴とする請求項１記載の折り畳み式傘ホルダ。
【請求項３】
前記正面部、前記背面部、左右側面部、天井部及び底部が金属製線材を格子状に形成した部材で構成されることを特徴とする請求項１又は請求項２に記載の折り畳み式傘ホルダ。
【考案の詳細な説明】
【技術分野】
【０００１】
本考案は、壁掛け式の傘ホルダ、とくに折り畳み可能とされた傘ホルダに関するものである。
【背景技術】
【０００２】
従来、傘立ては、オフィスや店舗等の出入口近辺、又は住宅の玄関先に設置されて使用することが多い。この傘立ては、雨天時のみ必要とされ、晴天時に常時設置された場合には、通行の妨げとなる。そこで、特許文献１のようなリンク折畳み機構で展開と折畳みを行う折畳み式の傘立てが用いられている。このような傘立ては、不要時には出入口付近から邪魔にならない場所に収納し、折り畳んだ状態で保管し、必要時には展開して出入口近辺に設置される。
【０００３】
そこで、傘立て本体が邪魔にならないよう壁掛け式の傘収納具として、布製の本体の片面に複数本の傘を並列して収納し壁面に掛ける傘収納具（特許文献２参照）が先に提案されている。また、常時設置した状態でも傘立て本体が邪魔にならない傘立てとして、ワンタッチで前面に開閉する傘収納部を有する傘立て本体を、壁面に格納した壁面格納型の傘立て装置や、本体下部にキャスターを備え、移動させて保管することで傘立て不使用時の保管スペースを節約する傘立て装置が特許文献３に提案されている。
【先行技術文献】
【特許文献】
【０００４】
【特許文献１】実開昭６１−２０４５８０号公報
【特許文献２】実開平６−４１５７３号公報
【特許文献３】特許第３４７７２５９号公報
【考案の概要】
【考案が解決しようとする課題】
【０００５】
しかしながら、特許文献２に示すような傘収納具は、傘の保管スペースに壁面を利用しているだけであり、特に水滴が付着した状態で傘を収納する場合、傘を壁面に対して平行に収納するため傘本体が壁面に当たり易く、壁面を汚すという問題があった。そのため、傘を十分に乾燥させた後に収納しなければならず、雨天時に壁掛け式の傘立てとして使用することが出来なかった。
【０００６】
また、特許文献３に示すような傘立て装置は、本体を壁面に格納する場合、壁面の掘削工事が必要となり据付費用が嵩む上に、本体を格納できるスペースを備えた壁面でなければ設置できないという問題があった。また、本体下部にキャスターを備えた場合、不要時に移動させて保管することが可能となるが、移動先に保管スペースを要するという問題があった。
【０００７】
本考案は、上記の問題点に鑑みなされたもので、不要時にはコンパクトな形状に折り畳むことを可能とし、壁に掛けて使用しても、壁面を水滴で汚さず収納できる折り畳み式傘ホルダを提供することを目的とする。
【課題を解決するための手段】
【０００８】
このため本考案の折り畳み式傘ホルダは、正面部、背面部及び左右両側面部と、傘挿入口を有する天井部及び底部で構成される箱状体の傘ホルダであって、前記正面部、背面部及び左右両側面部は隣接する側辺同士が互いに回動自在に連結されると共に、前記天井部及び前記底部は背面部に側辺が互いに回動自在に連結され、且つ前記正面部に連結具により着脱自在に固定され、左右両側面部が夫々略中心部で箱の内側に中折れして折り畳まれるよう構成されていることを第１の特徴とする。また、前記天井部が、前記背面部の頂辺部近辺から前記正面部に向かって傾斜した状態で固定されることを第２の特徴とし、前記正面部、前記背面部、左右側面部、天井部及び底部が金属製線材を格子状に形成した部材で構成されることを第３の特徴とする。
【考案の効果】
【０００９】
本考案の折り畳み式傘ホルダは、以下の優れた効果を有する。
（１）各面部の連結に、隣接する側辺同士が互いに回動自在な連結具、若しくは着脱自在な連結具を用いているため、傘ホルダが不要の際には、コンパクトな形状に折り畳んで保管することができる。
（２）各面部が、金属製線材を格子状に形成されているため軽量であり、壁掛式として使用することができる上に、本体を移動させる際には持ち運びが容易となる。
（３）傘差込口を備えた天井部が斜面状となっており、傘が壁面に対して平行に差し込まれないため、傘本体が壁面に当たり水滴で壁を汚すことなく傘を収納できる。
【図面の簡単な説明】
【００１０】
【図１】本考案に係る折り畳み式傘ホルダを示す斜視図である。
【図２】図１のＡ−Ａ線視断面図である。
【図３】図１の折り畳み式傘ホルダの折り畳み動作を説明する側面図である。
【考案を実施するための形態】
【００１１】
以下、本考案の折り畳み式傘ホルダの実施例について図１乃至図３を用いて説明する。図１は本考案に係る折り畳み式傘ホルダを示す斜視図であり、図２は図１のＡ−Ａ線視断面図であり、図３は図１の折り畳み式傘ホルダの折り畳み動作を説明する側面図である。
【実施例】
【００１２】
図１に示すように、本考案の傘ホルダ１は、金属製線材を所定の網目寸法で配置し格子状に形成された背面部２、正面部４及び、左右両側面部３，５と、天井部６及び底部７で構成される箱状体であり、壁面に掛けて、若しくは床に置いて使用される。背面部２、正面部４及び、左右両側面部３，５は、隣接する側辺同士が互いに回動自在に連結さると共に、天井部６及び底部７は背面部２に側辺が互いに回動自在に連結され、且つ正面部４に連結具により着脱自在に固定されて構成されている。これらの背面部２、正面部４及び、左右両側面部３，５と、天井部６及び底部７は格子状に形成されるほか、網状体に形成することも可能であり、あるいは、板状体を用いることも可能であり、更に、それらを組み合わせて構成することも可能である。また、各面部の連結手段に、略楕円状に形成された連結具９が用いられているが、両側辺のどちらか一方を軸に互いに回動自在となる連結具であれば良く、例えば輪状の連結具なども使用可能である。止め具１０、開閉具１１及び蝶番１２についても、後述する形状や素材に限定されるものではなく、一般的な金具等による連結手段を用いることが可能である。
【００１３】
図１、図２に示すように、天井部６は、金属製線材が格子状に組まれ、その格子間隔が傘８を挿入可能とする寸法に形成されている。その側辺は、背面部２の上側辺に複数の連結具９により回動自在に連結されており、背面部２の上側辺を支点として回転可能としている。図２に示すように、金属板をＳ字状に形成した止め具１０が、その一方を正面部４の横桟４ａに掛け、他方を天井部６の側辺に掛けることで、天井部６が背面部２の頂部から正面部４の下方に向かって傾斜した状態で正面部４と天井部６とを着脱可能に連結している。
【００１４】
図１、図２に示すように、底部７は、複数の窪み部７ｂが設けられた板状体の周囲を金属製線材で囲んで構成されている。窪み部７ｂは、傘８の石突きを受けることを可能としている。この窪み部７ｂは、設けずとも傘ホルダとしての機能は損なわれないため、板状体は平坦な形状でも良い。ただし、窪み部７ｂを設ける際には、図２に示すように、傘８を斜めに差し込むために、上述した傘８を挿入する格子間隔の中心から背面部２側に設けられることが好ましい。図２に示すように、底部７は、背面部２の下側辺に複数の連結具９により回動自在に連結されており、背面部２の下側辺を支点として回転可能としている。底部７の正面部４側の側辺は、金属板を側面視Ｃ字状に形成した開閉具１１が設けられ、正面部４と底部７とを着脱可能に連結している。また、これらの連結具９、開閉具１１が底部７の金属板と干渉しないよう、図２に示すように、底部７の板状体には切欠き部７ａが設けられている。
【００１５】
右側面部３及び左側面部５は、図１に示すように、金属製線材を格子状に組み、それを並列させ、その隣接する側辺同士間に複数の蝶番１２を溶接して構成される。また、背面部２側及び正面部４側の側辺は、連結具９により回動自在に連結されており、右側面部３及び左側面部５は夫々略前後中心部で箱の内側、若しくは外側に中折れして折り畳み可能とされる。
【００１６】
次に、本実施例に係る傘ホルダ１の折り畳み要領について、図３を参照しながら説明する。まず、図３（ａ）に示すように、天井部６が傾斜しており、傘ホルダとして使用された状態にあると仮定する。この状態のとき、傘ホルダ１は、図１に示すような状態となる。ここで、傘ホルダ１を折り畳む場合には、図３の（ｂ）に示すように、天井部６を背面部２の上側辺を軸として上方へ開くように回転させるとともに、底部７と前面部材４とを連結している開閉具１１を外し、底部７を背面部２の下側辺を軸として下方へ開くように回転させる。すると図３（ｃ）に示すように、上下面部６，７は背面部２の背部に折り畳まれる。次に、図３（ａ）に示す左側面部５の略前後中心部に設けられた複数の蝶番１２を内側へ押すことで、図３（ｂ）に示すように、左側面部５は内側へ折り畳まれ、左側面部５と連結されている正面部４が背面部２側へ折り畳まれる。右側面部３についても、左側面図５と同様の操作をすることで、図３（ｃ）に示すように、傘ホルダ１は、コンパクトな形状に折り畳まれる。
【００１７】
尚、本実施例では、４側面部２，３，４，５、及び、上下面部６，７の素材に金属製線材を用いているが、例えば木材、ステンレスなどの金属、プラスチックなどの樹脂等を使用しても良く、更にそれらを組み合わせて使用することも可能である。また、連結具や止め具は、折り畳みの機構を補うものであれば、何れでも使用でき、限定するものではない。このように本考案の要旨を逸脱しない範囲内において種々変更を加え得ることは言うまでもない。
【符号の説明】
【００１８】
１                  傘ホルダ
２                  背面部
３                  右側面部
４                  正面部
４ａ                横桟
５                  左側面部
６                  天井部
７                  底部
７ａ                切欠き部
７ｂ                窪み部
８                  傘
９                  連結具
１０                止め具
１１                開閉具
１２                蝶番
【図１】
0003180178.tif 000003
【図２】
0003180178.tif 000004
【図３】
0003180178.tif 000005